(57)【要約】【課題】  床下地パネルに根太を予め固定して施工する場合であっても、根太と根太受け金物との接触を防止できる根太受け金物、床構造、及び床構造の施工方法を提供する。【解決手段】根太受け金物１は、床梁３の間に架設される根太５の端部を受ける根太受け金物１であって、前記床梁３に固定する固定部６と、前記床梁３から水平方向に突出して形成され前記根太５の端部を受ける受け部７と、を備え、前記受け部７は、前記根太５の底面が載置される底板９と、前記底板９の両側縁からそれぞれ立ち上がり前記根太５の幅よりも距離を開けて向かい合う一対の側板１０と、前記側板１０の上端にそれぞれ形成され互いに接近する方向に膨出する一対の膨出部１１と、を有する。【選択図】図１
2018119306.tif 000002
【特許請求の範囲】
【請求項１】
床梁の間に架設される根太の端部を受ける根太受け金物であって、
前記床梁に固定する固定部と、
前記床梁から水平方向に突出して形成され前記根太の端部を受ける受け部と、を備え、
前記受け部は、前記根太の底面が載置される底板と、前記底板の両側縁からそれぞれ立ち上がり前記根太の幅よりも距離を開けて向かい合う一対の側板と、前記側板の上端にそれぞれ形成され互いに接近する方向に膨出する一対の膨出部と、を有することを特徴とする根太受け金物。
【請求項２】
前記底板上に緩衝材が設けられることを特徴とする請求項１に記載の根太受け金物。
【請求項３】
前記膨出部は前記根太の端部上面よりも高い位置に形成されており、一対の前記膨出部の間の距離が前記根太の幅よりも短いことを特徴とする請求項１又は請求項２に記載の根太受け金物。
【請求項４】
間隔を開けて平行に配置される床梁と、
前記床梁の側面に固定される請求項３に記載の根太受け金物と、
下面に根太が固定された床下地パネルと、を備え、
前記根太は、端部上面が下方に切り欠かれた切欠部を有することを特徴とする床構造。
【請求項５】
間隔を開けて平行に配置される床梁に、請求項１から請求項３のいずれかに記載の根太受け金物を固定し、
下面に根太が固定された床下地パネルを、当該根太の両端がそれぞれ前記根太受け金物に載置されるように配置して、
床下地パネルを前記床梁に固定することを特徴とする床構造の施工方法。
【発明の詳細な説明】
【技術分野】
【０００１】
本発明は、床梁に架設される根太を受ける根太受け金物、当該根太受け金物を用いた床構造、及び、床構造の施工方法に関する。
【背景技術】
【０００２】
従来より、床梁の側面に根太受け金物を釘で固定し、この根太受け金物に根太を支持させて床梁と根太とが面一となるように施工し、この床梁及び根太の上に床下地パネルを設ける床構造が知られている。このような工法においては、根太受け金物と根太との間に緩衝用の接着剤を注入して、根太受け金物と根太とが擦れることによる床鳴りを防止している。
【０００３】
そして、上述のような床組み作業の工程を短縮し施工性を向上するために、根太を予め床下地パネルの下面に固定しておき、床梁の側面に固定された根太受け金物に根太を落とし込むことで、根太及び床下地板の施工を同時に行って工程を短縮するものも提案されている。
【先行技術文献】
【特許文献】
【０００４】
【特許文献１】特開２００７−１３２１５９号公報
【発明の概要】
【発明が解決しようとする課題】
【０００５】
しかし、上述のような工程は、根太の上に床下地パネルが固定された状態で床梁の側面に固定された根太受け金物に根太を落とし込むものであるので、床下地パネルが邪魔になって直接根太及び根太受け金物の位置を確認できない状態での作業となるため、根太及び根太受け金物の位置に若干のズレがあった場合、根太受け金物及び根太が緩衝用の接着剤を介することなく当接し、床鳴りが発生するおそれがあった。
【０００６】
そこで、本発明は、床下地パネルに根太を予め固定して施工する場合であっても、根太と根太受け金物との接触を防止できる根太受け金物、床構造、及び床構造の施工方法を提供することを目的とする。
【課題を解決するための手段】
【０００７】
本発明の根太受け金物は、床梁の間に架設される根太の端部を受ける根太受け金物であって、前記床梁に固定する固定部と、前記床梁から水平方向に突出して形成され前記根太の端部を受ける受け部と、を備え、前記受け部は、前記根太の底面が載置される底板と、前記底板の両側縁からそれぞれ立ち上がり前記根太の幅よりも距離を開けて向かい合う一対の側板と、前記側板の上端にそれぞれ形成され互いに接近する方向に膨出する一対の膨出部と、を有することを特徴としている。
【０００８】
また、本発明の根太受け金物は、前記底板上に緩衝材が設けられることを特徴としている。
【０００９】
さらに、本発明の根太受け金物は、前記先端部は前記根太の端部上面よりも高い位置に形成されており、一対の前記膨出部の間の距離が前記根太の幅よりも短いことを特徴としている。
【００１０】
本発明の床構造は、間隔を開けて平行に配置される床梁と、前記床梁の側面に固定される上記根太受け金物と、下面に根太が固定された床下地パネルと、を備え、前記根太は、端部上面が下方に切り欠かれた切欠部を有することを特徴としている。
【００１１】
本発明の床構造の施工方法は、間隔を開けて平行に配置される床梁に、根太受け金物を固定し、下面に根太が固定された床下地パネルを、当該根太の両端がそれぞれ前記根太受け金物に載置されるように配置して、床下地パネルを前記床梁に固定することを特徴としている。
【発明の効果】
【００１２】
本発明の根太受け金物によると、根太の端部を上方から根太受け金物の受け部に挿入する際に、根太受け金物の側板の上端に形成された膨出部によって、根太の位置がガイドされるので、根太の端部を根太受け金物の中央に設置することができ、根太受け金物の側板が根太の幅よりも距離を開けて形成されているので、側板と根太との間に隙間を設けることができる。したがって、根太と側板とが擦れて床鳴りが発生することを防止できる。
【００１３】
また、本発明の根太受け金物によると、底板上に緩衝材が設けられているので、根太端部の下面と根太受け金物の底板との間には緩衝材が配置されるとともに、前述のように根太の側面と根太受け金物の側板の間には隙間が設けられるので、根太受け金物と根太とは当接することがなく、床鳴りを防止できる。そして、根太側面と根太受け金物の側板との間には隙間が形成されているので、緩衝材は根太受け金物の底板にのみ設ければよく、緩衝材を簡単に配置することができる。なお、ここで緩衝材は、例えば樹脂接着剤のような湿式の材料であってもよく、また、柔軟性を有する固形樹脂などの乾式の材料であってもよい。
【００１４】
さらに、本発明の根太受け金物によると、一対の膨出部の間の距離が根太の幅よりも短いので、根太を上方から根太受け金物に挿入する際には、膨出部に根太の端部が当接して、当該膨出部間の距離が広がるように根太受け金物が弾性変形し根太を確実に根太受け金物の幅方向の中央に導くことができる。そして、膨出部は根太の端部上面よりも高い位置に形成されているので、根太の端部の下面が根太受け金物の底面に設けられている緩衝材に当接すると、根太の端部の上面が膨出部よりも低い位置に配置されることになり、根太の端部と膨出部との間に隙間が設けられるので、床鳴りを防止することができる。
【００１５】
本発明の床構造によると、根太の端部の上面に下方に切り欠かれた切欠部を有するので、根太全体の高さを低くすること無く、根太の端部の上面を根太受け金物の膨出部よりも低い位置に配置することができ、床構造の強度の低下を防ぎつつ、根太の端部と根太受け金物との接触を防止することができる。
【００１６】
本発明の床構造の施工方法は、間隔を開けて平行に配置される床梁に、根太受け金物を固定し、下面に根太が固定された床下地パネルを、根太の両端がそれぞれ根太受け金物に載置されるように配置して、床下地パネルを床梁に固定するので、作業者が床下地パネルによって根太の端部及び根太受け金物を直接見ることができない場合であっても、根太受け金物の膨出部によって根太の端部の位置を根太受け金物の幅方向の中央に確実にガイドすることができ、根太と根太受け金物との接触を防止し、床鳴りを防止することができる。
【図面の簡単な説明】
【００１７】
【図１】根太受け金物の全体構成を示す斜視図。
【図２】（Ａ）は根太受け金物の全体構成を示す正面図、（Ｂ）は側面図。
【図３】床下地パネル及び根太の構成を示す斜視図。
【図４】（Ａ）は床下地パネル及び根太の構成を示す側面図、（Ｂ）は（Ａ）とは寸法の異なる根太を用いた例を示す側面図。
【図５】床構造の全体構成を示す断面図。
【図６】根太の端部と根太受け金物の寸法を示すＩ−Ｉ線断面図。
【図７】根太が下面に固定された床下地パネルを床梁及び根太受け金物に固定する前の状態を示す斜視図。
【図８】根太が下面に固定された床下地パネルを床梁及び根太受け金物に固定する前の状態を示す側面図。
【図９】根太の端部を根太受け金物に挿入する前の状態を示す図。
【図１０】根太の端部を根太受け金物に挿入する途中の状態を示す図。
【図１１】根太の端部を根太受け金物に挿入した状態を示す図。
【発明を実施するための形態】
【００１８】
以下、本発明に係る根太受け金物１、床構造２、及び床構造の施工方法の最良の実施形態について、各図を参照しつつ説明する。本実施形態における床構造２は、例えば住宅の床梁３に根太受け金物１を設けて、当該根太受け金物１に床下地パネル４の下面に固定されている根太５を上方から挿入して、根太受け金物１で根太５を受ける床構造２である。なお、床構造２は、１階の床を支持する床構造であっても、２階以上の床を支持する床構造であっても良い。
【００１９】
根太受け金物１は、床梁３の側面に固定する固定部６と、床梁３から水平方向に突出して根太５の端部を受ける受け部７とを備えている。固定部６は図１及び図２（Ａ）に示すように、受け部７の側板１０の床梁３と当接する位置から両側にそれぞれ広がるプレートであり、根太受け金物１を床梁３に固定するためのビス孔８が上下方向に並んで３箇所ずつ形成されている。
【００２０】
受け部７は、図１及び図２に示すように、根太５の底面が載置される底板９と、底板９の両側縁からそれぞれ立ち上がる一対の側板１０と、側板１０の上端にそれぞれ形成され互いに接近する方向に膨出する膨出部１１とを有している。受け部７は、鋼板を折り曲げ加工して形成されており、床梁３に根太受け金物１を固定したときに、底板９は水平な平板であり、根太５の端部を受けることができる幅に形成されている。そして、側板１０は根太５の側面と平行に隙間を開けて配置されるように、根太５の幅αよりも一対の側板１０の間の間の距離βが長くなるように配置されている。
【００２１】
膨出部１１は、図１及び図２（Ａ）に示すように、側板１０の上端が互いに接近する方向に湾曲し、さらにその上部が互いに離れる方向に湾曲して形成されている。側板１０はその高さ方向の長さが根太５の端部の高さよりも長く、側板１０の上端に形成される膨出部１１は、根太５の端部の上面５ａよりも高い位置に配置される。また、膨出部１１は、互いに最も接近する位置の距離γが根太５の幅αよりも短くなるように形成されている。
【００２２】
また、受け部７の底板９の上には緩衝材１２が固定されている。緩衝材１２は、例えば、変成シリコン弾性接着剤のような硬化後に弾性を有する接着剤であってもよく、予め平板状に成形された弾性体であっても良い。緩衝材１２は底板９の上にのみ設けられており、側板１０及び膨出部１１には設けられていない。側板１０と根太５との間には確実に間隙が形成されるので、側板１０及び根太５が擦れて床鳴りが発生する可能性が無く、緩衝材１２を設ける必要がないからである。このように緩衝材１２を側板１０及び膨出部１１に設けないことで、施工手間を軽減することができる。
【００２３】
根太受け金物１は、床梁３に予め工場で図示しないビスで固定されて、建築現場に搬入されてもよく、建築現場で床梁３にビスで固定するものであっても良い。床梁３の根太受け金物１を設置する位置は、床梁３に根太５を架設する位置であり、且つ、根太受け金物１に挿入される根太５の中間部の上面と床梁３の上面とが面一になるように設置される。
【００２４】
根太５は、図３及び図４に示すように、角材であり、両端に端部上面が下方に切り欠かれた切欠部１３が形成されている。切欠部１３は、根太５の端部で上面から下方に切り込むとともに、根太５の小口面から水平方向に切り込んで上端の角を直角に切り欠いたものである。すなわち、根太５は下面が面一に形成されるとともに、上面の両端に切欠部１３が形成されることで、他の部分の上面よりも端部の上面５ａが低くなるように形成されている。
【００２５】
図５に示すように、根太５の幅αは根太受け金物１の側板１０の間の距離βよりも短く、且つ、根太受け金物１の膨出部１１の間の最接近した距離γよりも長い。また、根太５の端部の上面５ａは、根太受け金物１の膨出部１１よりも低く、根太５の端部を根太受け金物１に挿入した場合に根太５の端部が膨出部１１に接触しない形状となっている。根太５の長手方向における切欠部１３の長さは、根太５の長手方向における膨出部１１の長さよりも長くなっており、膨出部１１が根太５の端部に接触することはない。なお、根太５の中間部は端部よりも上面が高く形成されており、根太５の強度を確保しているが、図４（Ａ）（Ｂ）に示すように、根太５の中間部の高さは、床構造２に必要な強度及び床梁３の梁せいに応じて適切に選択することができる。
【００２６】
床下地パネル４は予め下面に根太５が固定された状態で工場から建築現場に搬入される板材である。床下地パネル４には図３に示すように、２本の根太５が当該床下地パネル４の長さ方向に沿って固定されている。２本の根太５のうち一方の根太５は床下地パネル４の幅方向の中央に固定され、２本の根太５のうち他方の根太５は床下地パネル４の一方の縁に固定される。当該他方の根太５は、幅方向の半分が床下地パネル４の一方の縁に固定され、もう半分が床下地パネル４の縁からはみ出しており、隣接する床下地パネル４の他方の縁が他方の根太５の床下地パネル４からはみ出した部分に載置されるように形成されている。
【００２７】
また、床梁３は床荷重を受ける水平角材であり、図示しないが、端部が梁受金物によって柱又は別の梁に固定されている。床梁３は、図５に示すように、間隔を開けて平行に複数配置されており、当該床梁３と、床梁３の側面に固定される根太受け金物１と、下面に根太５が固定された床下地パネル４と、により床構造２が構成されている。
【００２８】
以上のような構成を有する床構造の施工方法は、床梁３に根太受け金物１を固定した状態で工場から建築現場に搬入し、当該根太受け金物１が根太５を架設する位置に整合するように、床梁３の端部を他の梁や柱等に接合して複数の床梁３を平行に架設する。なお、本実施形態では根太受け金物１は工場で床梁３に固定されるが、これに限定されるものではなく、建築現場で床梁３に固定されるものであっても良く、例えば複数の床梁３を間隔を開けて平行に配置した後に、根太受け金物１を固定するものであっても良い。
【００２９】
そして、床下地パネル４の下面に根太５を固定した状態で当該床下地パネル４が工場から建築現場に搬入する。なお、床下地パネル４の下面に根太５を固定する工程は工場で行われる工程に限定されるものではなく、例えば建築現場に床下地パネル４を搬入した後に当該床下地パネル４の下面に根太５を固定するものであっても良い。
【００３０】
図７から図９に示すように、根太５が固定された床下地パネル４を例えばクレーンで吊り上げて、床下地パネル４の下面に固定されている根太５の位置が床梁３に固定されている根太受け金物１の上方に来るように配置する。そして、床下地パネル４を徐々に下降させて、図１０に示すように、根太５の端部を根太受け金物１に挿入する。このとき、根太５の幅αよりも根太受け金物１の受け部７に形成されている一対の膨出部１１の間の最接近位置の距離γのほうが短いので、床下地パネル４を下降させると、根太５の下端縁が膨出部１１に当接する。そして、さらに床下地パネル４を下降させると、一対の膨出部１１が互いに広がる方向に弾性変形して、根太５の側面を膨出部１１が伝うように根太５が下降する。このとき、根太５の両側面に一対の膨出部１１がそれぞれ当接しているので、根太５が根太受け金物１の中央にガイドされる。
【００３１】
そして、さらに床下地パネル４を下降させると、根太５の下面が根太受け金物１の受け部７の底板９上に設けられている緩衝材１２に当接して、根太５を根太受け金物１で受ける。根太５の端部は切欠部１３によって上面５ａが膨出部１１よりも低く形成されており、根太受け金物１の受け部７の一対の側板１０の間の距離βは根太５の幅αよりも距離を開けて配置されているので、根太５の側面は根太受け金物１に当接することが無く、また根太５の下面には緩衝材１２を介して根太受け金物１に載置されているので、根太５が根太受け金物１に接触していない。したがって、根太５と根太受け金物１との擦れに起因する床鳴りの発生を防止することができる。
【００３２】
このように根太受け金物１に膨出部１１を設けて根太５の位置をガイドさせ、且つ、根太５の端部に切欠部１３を設けて、根太５の端部と根太受け金物１とが接触することを防止したので、根太５が床下地パネル４の下面に予め固定される床構造の施工方法において、床下地パネル４によって根太５の端部や根太受け金物１が視認できない場合であっても、根太５を根太受け金物１の中央に配置することができ、根太５の端部と根太受け金物１とが接触を確実に防止することができる。
【００３３】
なお、本発明の実施の形態は上述の形態に限ることなく、本発明の思想の範囲を逸脱しない範囲で適宜変更することができることは云うまでもない。
【産業上の利用可能性】
【００３４】
本発明に係る根太受け金物１、床構造２、及び床構造の施工方法は、例えば住宅の床構造を施工する際に好適に用いることができる。
【符号の説明】
【００３５】
１      根太受け金物
２      床構造
３      床梁
４      床下地パネル
５      根太
６      固定部
７      受け部
９      底板
１０    側板
１１    膨出部
１２    緩衝材
１３    切欠部
【図１】
2018119306.tif 000003
【図２】
2018119306.tif 000004
【図３】
2018119306.tif 000005
【図４】
2018119306.tif 000006
【図５】
2018119306.tif 000007
【図６】
2018119306.tif 000008
【図７】
2018119306.tif 000009
【図８】
2018119306.tif 000010
【図９】
2018119306.tif 000011
【図１０】
2018119306.tif 000012
【図１１】
2018119306.tif 000013
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
床梁の間に架設される根太の端部を受ける根太受け金物であって、
前記床梁に固定する固定部と、
前記床梁から水平方向に突出して形成され前記根太の端部を受ける受け部と、を備え、
前記受け部は、前記根太の底面が載置される底板と、前記底板の両側縁からそれぞれ立ち上がり前記根太の幅よりも距離を開けて向かい合う一対の側板と、前記側板の上端にそれぞれ形成され互いに接近する方向に膨出する一対の膨出部と、を有し、
前記膨出部は前記根太の端部上面よりも高い位置に形成されており、
当該膨出部は、互いに接近する方向に湾曲するとともに、上部が互いに離れる方向に湾曲して形成されており、一対の前記膨出部の最も接近する位置の間の距離が前記根太の幅よりも短く、その上部の距離が前記根太の幅よりも長いことを特徴とする根太受け金物。
【請求項２】
前記底板上に緩衝材が設けられることを特徴とする請求項１に記載の根太受け金物。
【請求項３】
間隔を開けて平行に配置される床梁と、
前記床梁の側面に固定される請求項１又は２に記載の根太受け金物と、
下面に根太が固定された床下地パネルと、を備え、
前記根太は、端部上面が下方に切り欠かれた切欠部を有することを特徴とする床構造。
【請求項４】
請求項３に記載の床構造の施工方法であって、
間隔を開けて平行に配置される前記床梁に、前記根太受け金物を固定し、
下面に前記根太が固定された前記床下地パネルを下降させて、前記根太の下端縁を前記膨出部に当接させ、
さらに、前記床下地パネルを下降させて、一対の前記膨出部を互いに広がる方向に弾性変形させつつ、前記根太の側面を前記膨出部にガイドさせて当該根太をそれぞれの前記根太受け金物の幅方向の中央に載置されるように配置して、
床下地パネルを前記床梁に固定することを特徴とする床構造の施工方法。
【手続補正２】
【補正対象書類名】明細書
【補正対象項目名】０００７
【補正方法】変更
【補正の内容】
【０００７】
本発明の根太受け金物は、床梁の間に架設される根太の端部を受ける根太受け金物であって、前記床梁に固定する固定部と、前記床梁から水平方向に突出して形成され前記根太の端部を受ける受け部と、を備え、前記受け部は、前記根太の底面が載置される底板と、前記底板の両側縁からそれぞれ立ち上がり前記根太の幅よりも距離を開けて向かい合う一対の側板と、前記側板の上端にそれぞれ形成され互いに接近する方向に膨出する一対の膨出部と、を有し、前記膨出部は前記根太の端部上面よりも高い位置に形成されており、当該膨出部は、互いに接近する方向に湾曲するとともに、上部が互いに離れる方向に湾曲して形成されており、一対の前記膨出部の最も接近する位置の間の距離が前記根太の幅よりも短く、その上部の距離が前記根太の幅よりも長いことを特徴としている。
【手続補正３】
【補正対象書類名】明細書
【補正対象項目名】０００９
【補正方法】削除
【補正の内容】
【手続補正４】
【補正対象書類名】明細書
【補正対象項目名】００１１
【補正方法】変更
【補正の内容】
【００１１】
本発明の床構造の施工方法は、上記床構造の施工方法であって、間隔を開けて平行に配置される前記床梁に、前記根太受け金物を固定し、下面に前記根太が固定された前記床下地パネルを下降させて、前記根太の下端縁を前記膨出部に当接させ、さらに、前記床下地パネルを下降させて、一対の前記膨出部を互いに広がる方向に弾性変形させつつ、前記根太の側面を前記膨出部にガイドさせて当該根太をそれぞれの前記根太受け金物の幅方向の中央に載置されるように配置して、床下地パネルを前記床梁に固定することを特徴としている。